(57)【要約】【解決手段】ここで開示された実施形態の例は、調整可能なアンテナ構造に関する。アンテナ構造の短いアームは、整合回路に結合され、ここにおいて、整合回路は入力信号に結合される。アンテナ構造の長いアームは、少なくとも１つのアクティブなチューニングエレメントに結合される。短いアームは、アンテナ構造を高周波数帯域に合わせるためであり、長いアームは、アンテナ構造を低周波数帯域に合わせるためである。  【選択図】図１
2015533047.tif 000002
【特許請求の範囲】
【請求項１】
無線周波数（ＲＦ）入力信号に結合される整合回路と、
前記整合回路に結合される短いＬ−形アームと、アンテナを高周波数帯域に合わせるための前記短いアーム、
少なくとも１つのアクティブなチューニングエレメントと、
前記少なくとも１つのアクティブなチューニングエレメントに結合される長いＬ−形のアームと、前記アンテナを低周波数帯域に合わせるための前記長いアーム、
を具備する調整可能なアンテナ構造。
【請求項２】
前記低周波数帯域は、７００ＭＨｚ、７５０ＭＨｚ、８５０ＭＨｚ、及び９００ＭＨｚの周波数帯域のうち少なくとも１つを備え、ここにおいて、前記高周波数帯域は、１８００ＭＨｚ、１９００ＭＨｚ、２１００ＭＨｚ、及び２６００ＭＨｚの周波数帯域を具備する、請求項１のアンテナ構造。
【請求項３】
前記少なくとも１つのアクティブなチューニングエレメントは、スイッチ及び可変キャパシタのうち少なくとも１つを備える、請求項１のアンテナ構造。
【請求項４】
前記長いアームは、少なくとも１つのブランチを備え、ここにおいて前記少なくとも１つのブランチは、前記スイッチ及びキャパシタを介して電気アースに結合される、請求項３のアンテナ構造。
【請求項５】
前記長いアームを、７００ＭＨｚ、７５０ＭＨｚ、８５０ＭＨｚ、及び９００ＭＨｚの低周波数帯域の少なくとも１つに合わせるための前記長いアームの少なくとも１つのブランチを選択するための前記スイッチ、請求項４の調整可能なアンテナ。
【請求項６】
前記可変キャパシタは、電気アースに結合される、請求項３の調整可能な構造。
【請求項７】
前記可変キャパシタは、電圧制御可変キャパシタを備える、請求項６のアンテナ構造。
【請求項８】
前記可変キャパシタは、可変容量ダイオードを備え、ここにおいて前記可変容量ダイオードの容量値は、７００ＭＨｚ、７５０ＭＨｚ、８５０ＭＨｚ及び９００ＭＨｚの周波数のうちの少なくとも１つを選択するための可変容量ダイオードに印加される電圧値に従って修正される、請求項６の調整可能なアンテナ構造。
【請求項９】
前記整合回路は、前記アンテナ構造のインピーダンスを一致させるためである、請求項１のアンテナ構造。
【請求項１０】
前記低周波数帯域は、ロングタームエボリューション（ＬＴＥ）ネットワークに関連された周波数帯域を含む、請求項１のアンテナ構造。
【請求項１１】
前記高周波数帯域は、グローバル移動体通信システム（ＧＳＭ）ネットワーク、第３世代移動体通信（３Ｇ）ネットワーク、及びロングタームエボリューション（ＬＴＥ）ネットワークのうちの少なくとも１つに関連された高周波数帯域を含む、請求項１のアンテナ構造。
【請求項１２】
アンテナ構造のうちの短いアームを、整合回路に結合させることと、ここにおいて前記整合回路は入力信号に結合され、
前記アンテナ構造のうちの長いアームを、少なくとも１つのチューニングエレメントに結合させることと、ここにおいて前記少なくとも１つのチューニングエレメントは、電気アースに結合され、
タイヤアンテナ構造のうちの前記短いアースを、高周波数帯域にチューニングすることと、
前記アンテナ構造のうちの前記長いアームを、少なくとも１つのアクティブなチューニングエレメントに基づいて低周波数帯域にチューニングすることと、を具備する方法。
【請求項１３】
前記アクティブなチューニングエレメントは、スイッチ及び可変キャパシタのうち少なくとも１つを備える、請求項１２の方法。
【請求項１４】
前記長いアームは、前記スイッチ及びキャパシタを介して電気アースに結合される、少なくとも１つのブランチを備える、請求項１３の方法。
【請求項１５】
前記長いアームを、前記低周波数帯域に合わせることは、７００ＭＨｚ、７５０ＭＨｚ、８５０ＭＨｚ、及び９００ＭＨｚの低周波数帯域の少なくとも１つに対応する、少なくとも１つのブランチを選択するための前記スイッチを使用することを、具備する、請求項１４の方法。
【請求項１６】
前記長いアームを前記低周波数帯域に合わせることは、前記可変キャパシタの容量値を、前記低周波数帯域における特定の周波数に対応する特定の容量値に変えることを具備し、ここにおいて前記低周波数帯域は、７００ＭＨｚ、７５０ＭＨｚ、８５０ＭＨｚ、及び９００ＭＨｚの周波数帯域のうちの少なくとも１つを含む、請求項１３の方法。
【請求項１７】
前記可変キャパシタの前記容量値を変化させることは、前記可変キャパシタに電圧を印加すること、を備え、ここにおいて前記可変キャパシタは、可変容量ダイオードを備える、請求項１６の方法。
【請求項１８】
プロセッサによって実行されると、前記プロセッサに、
アンテナ構造のうちの短いアームを、高周波数帯域に合わさせる、ここにおいて前記短いアームは、整合回路に結合され、及びここにおいて前記整合回路は入力信号に結合され、
前記アンテナ構造のうちの長いアームを、低周波数帯域に合わさせる、ここにおいて前記長いアームは少なくとも１つのアクティブなチューニングエレメントに結合され、及びここにおいて少なくとも１つのアクティブなチューニングエレメントは電気アースに結合される、
命令を備える、非一時的なコンピュータ可読媒体。
【請求項１９】
前記少なくとも１つのアクティブなチューニングエレメントは、スイッチ及び可変キャパシタのうち少なくとも１つを具備する、請求項１８の非一時的なコンピュータ可読媒体。
【請求項２０】
前記長いアームを、前記低周波数帯域に合わせるための少なくとも１つのスイッチを介して前記長いアームのうちの複数のブランチのうちの少なくとも１つのブランチを選択し、
前記長いアームを、前記低周波数帯域に合わせるための前記可変キャパシタの容量値を変化させる、ここにおいて前記低周波数帯域は、７００ＭＨｚ、７５０ＭＨｚ、８５０ＭＨｚ、及び９００ＭＨｚの周波数帯域を含み、
よう、前記プロセッサによって実行可能とされる、命令を備える、請求項１９の非一時的なコンピュータ可読媒体。
【発明の詳細な説明】
【背景技術】
【０００１】
[0001]技術における進歩は、Ｗｉ−Ｆｉ（登録商標）、Ｂｌｕｅｔｏｏｔｈ（登録商標）、全地球測位システム(ＧＰＳ)、ロングタームエボリューション（ＬＴＥ）、グローバル移動体通信システム（ＧＳＭ（登録商標））、３世代移動体通信（３Ｇ）などのようなマルチプル（multiple）の無線周波数（ＲＦ）技術をサポートする多くのモバイルデバイスに帰着した。
【図面の簡単な説明】
【０００２】
[0002]次の詳細な記述は、図面を参考とする。ここにおいて
【図１】[0003]  図１は一例に従った、調整可能なアンテナ構造のブロック図である。
【図２】[0004]  図２は一例に従った、調整可能なアンテナ構造のブロック図である。
【図３】[0005]  図３は一例に従った、調整可能なアンテナ構造のブロック図である。
【図４】[0006]  図４は一例に従った、調整可能なアンテナ構造を履行することに関する方法のフローチャートである。
【図５】[0007]  図５は一例に従った、調整可能なアンテナ構造を履行することに関する方法のフローチャートである。
【図６】[0008]  図６は一例に従った、調整可能なアンテナ構造を履行することに関する構造でエンコードされた機械可読記憶媒体のブロック図である。
【発明の詳細な説明】
【０００３】
[0009]数年にわたって、よりコンパクトなモバイルデバイスの需要が増加したことにつれて、モバイルデバイスは寸法において縮んだ。従って、モバイルデバイスの製造者は、モバイルデバイスのコンパクトなデザインを犠牲にせずに、マルチプルのＲＦ技術で作動するモバイルデバイスを提供するために意欲をかき立てられる。上で詳述されたように、モバイルデバイス用の競合する寸法の要求が、マルチプルのＲＦ周波数をサポートするアンテナ設計にとてつもなく大きい圧力をかけた。例えば、モバイルデバイスは、コンパクトな設計を維持しながら１つまたは複数のＲＦ技術をサポートするための１つまたは複数のアンテナを要求し得る。さらに、ＬＴＥネットワークの開発で、より従来のＧＳＭ、ＣＤＭＡ、及び３Ｇの高周波数帯域中で動作するアンテナを提供することに加えて、低いＬＴＥ周波数帯域中で動作するアンテナを提供するためのモバイルデバイスに関する高い要求がある。
【０００４】
[0010]いくつかの既存のソリューションは、７００ＭＨｚから２１００ＭＨｚ（つまり、低および高周波数帯域）までのより控えめな周波数に単一のパッシブアンテナを使用する。しかしながら、そのようなソリューションは、本質的に低周波数帯域をサポートするための大きなアンテナの寸法を要求し、コンパクトなモバイルデバイスの設計を可能（有効）にしない。他の既存のソリューションは、低から高への周波数帯域をカバーするためのアクティブな容量性の調整可能なエレメントを使用する。しかしながら、これらのソリューションは、低周波数帯域（例えば、７００ＭＨｚ、７５０ＭＨｚ、８５０ＭＨｚおよび９００ＭＨｚのＬＴＥ周波数帯域）中のマルチプルの帯域幅をカバーするためのマルチプルのチューニング状態（例えば、４つの調整状態）を要求する。
【０００５】
[0011]従って、ここに示された例は、２つのアーム−長いアームおよび短いアームを含むコンパクトなチューニング可能なアンテナ構造を履行することにより、これらの問題に対処する。長いアームは、低周波数帯域（例えば、７００ＭＨｚ、７５０ＭＨｚ、８５０ＭＨｚおよび９００ＭＨｚ）に合わせるためであり、そこで長いアームが、少なくとも１つのアクティブなチューニングエレメント（調整素子）を介してグラウンドに接続される。アクティブなチューニングエレメントは、スイッチと可変キャパシタのうちのいずれか１つである。短いアームは、高周波数帯域（例えば１７００ＭＨｚから２１００ＭＨｚまで)に合わせるためにあり、供給源（例えば、ＲＦ入力信号）および整合回路と結合される。したがって、アンテナ構造は、２つの状態−低周波数帯域状態および高周波数帯域状態を履行する。さらに、低周波数帯域中の、特有の１つまたは複数の周波数に長いアームを合わせることは、高周波数帯域に短いアームを合わせることに影響しない。したがって、アンテナ構造の長いアームおよび短いアームは、独立して動作し得る。
【０００６】
[0012]一例において、長いアームはＬ−形で、多くのブランチ（branches）を含んでおり、各ブランチは、スイッチおよびキャパシタを介してグラウンドに接続される。そのような一例において、アンテナ構造は、複数のブランチの（対応するスイッチを介して）特定のブランチを選択することにより、特定の周波数帯域（例えば、７００ＭＨｚ、７５０ＭＨｚ、８５０ＭＨｚおよび９００ＭＨｚのうちの１つ）に合わせられ得る。例証するために、低い周波数帯域は、４つの動作周波数を含み、長いアームは、４つのブランチを含み得、また、各動作周波数は、それぞれ対応するスイッチによって選択され得る。
【０００７】
[0013]別の一例において、長いアームはＬ−形であり、そしてＬ−形のうちの短い方の一端は、可変キャパシタに接続され、また可変キャパシタは、電気アースに接続される。この例において、アクティブなチューニングエレメントは可変キャパシタである。さらに、長いアームを特定の低周波数帯域に合わせるために、可変キャパシタの容量は、可変キャパシタの端子に電圧を印加することによって調節され、また変えられる。従って、可変キャパシタに印加された電圧を変えることによって、可変キャパシタの容量は、多くの低周波数帯域（例えば、７００ＭＨｚ、７５０ＭＨｚ、８５０ＭＨｚおよび９００ＭＨｚの周波数帯域）の特定の低周波数帯域を選択するために修正される。
【０００８】
[0014]それでは図面を参照して、図１は、一例に従った調整可能なアンテナ構造のブロック図である。アンテナ構造１００は、例えば、長いアーム１０２および短いアーム１０４を含んでいる。長いアーム１０２は、アクティブなチューニングエレメント１０６に結合される。アクティブなチューニングエレメント１０６は、電気アース１１０に結合される。例えば、長いアーム１０２はＬ−形であり得、そこで長いアーム１０２のうちの短い方の一端が、電気的にアースされたアクティブなチューニングエレメント１０６に結合される。一例において、アクティブなチューニングエレメント１０６は、図２（例えば、スイッチとキャパシタとの組み合わせ）を参照してより詳細に述べられているようなスイッチである。別の例において、図３を参照してより詳細に述べられているように、アクティブなチューニングエレメント１０６は、可変キャパシタである。短いアーム１０４は、整合回路１０８に結合される。例えば、整合回路１０８は、アンテナ構造１００（例えば、アンテナ構造１００において、電力転送を最大化し、あるいは反射を最小化する入力インピーダンスを整合すること）のインピーダンスと一致させるためであり得る。整合回路１０８は、入力信号１１２に結合される。入力信号１１２は、ＲＦ入力信号を含み得る。
【０００９】
[0015]アンテナ構造１００の長いアーム１０２は、低周波数帯域のために重要である。したがって、長いアーム１０２は、アクティブなチューニングエレメント１０６に基づいた低周波数帯域中の特定の周波数に合わせられ得る。例えば、アクティブなチューニングエレメント１０６は、長いアーム１０２を、ＬＴＥネットワークに関連された１つまたは複数の低周波数帯域に合わせるために使用可能である。例えば、アクティブなチューニングエレメント１０６がスイッチを含んでいる状況では、アクティブなチューニングエレメント１０６は、スイッチを使用して接地（グラウンド、アース）されるべき長いアーム１０２のブランチを選択することにより、長いアーム１０２を合わせるために使用され得る、そこで選択されたブランチは、特定の低周波数帯域に相当する。アクティブなチューニングエレメントが、可変キャパシタを含んでいる別の状況において、アクティブなチューニングエレメント１０６は、可変キャパシタの容量値に基づいて長いアーム１０２を合わせるために使用され、そこで特定の容量値は特定の低周波数帯域に対応する。アンテナ構造１００のうちの短いアーム１０４は、入力信号１１２に基づいた高周波数帯域のために重要である。例えば、入力信号１１２は、短いアーム１０４を、１つまたは複数の高周波数帯域（例えば、１７００ＭＨｚ〜２１００ＭＨｚ）に合わせるために使用可能であり得る。
【００１０】
[0016]図２は、一例に従った、調整可能なアンテナ構造のブロック図である。図２の例において、アクティブなチューニングエレメント１０６は、キャパシタ２２２に結合されたスイッチ２１２を含んでいる。さらに、図２の例において、アンテナ構造２００のうちの長いアーム１０２は、多くのブランチ２０２を含み、そこで各ブランチ２０２が、スイッチ２１２およびキャパシタ２２２の組み合わせを介して、グラウンド１１０に接続される。アンテナ構造２００のうちの短いアーム１０４は、整合回路１０８に結合され、整合回路１０８は、入力信号１１２に結合される。
【００１１】
[0017]長いアーム２０２は、低周波数帯域幅がどれくらい狭いかに依存して、２つまたは複数のブランチ（例えば、４つのブランチ）を適応させるために拡張可能である。例えば、７００ＭＨｚ、７５０ＭＨｚ、８５０ＭＨｚ、および９００ＭＨｚの周波数帯域をサポートするために、長いアーム１０２は、４つのブランチを含み得る。特定の低周波数帯域は、長いアーム１０２のブランチ２０２に対応する多くの低周波数帯域から選択され得る。例えば、長いアーム１０２は、（例えば、第１のスイッチ２１２を閉じることで）グラウンドへの第１のブランチ２０２を選択することにより、第１の周波数帯域（例えば、７００ＭＨｚの周波数帯域）に合わせられ得る。同様に、他の低周波数帯域（例えば、７５０ＭＨｚ、８５０ＭＨｚ、および９００ＭＨｚの周波数帯域）は、対応するスイッチ２１２を介して選択され得る。アンテナ長が周波数に反比例するため、長いアーム１０２のスイッチ２１２を閉じることによって、長いアーム１０２の長さは、接地すべき特定のブランチ２１２を選択することにより変えられ得、従って長いアーム１０２を特定の周波数に合わせる。
【００１２】
[0018]例えば、上述されたように、短いアーム１０４は、１７００ＭＨｚから２１００ＭＨｚまでの高周波数帯域に合わせられ得る。そのような高周波数帯域は、ＧＳＭ、ＣＤＭＡおよび３Ｇネットワークのうちの１つまたは複数に関係され得る。例えば、ＲＦ入力信号１１２は、短いアーム１０４を高周波数帯域に合わせるために使用され得る。
【００１３】
[0019]図３は、一例に従った、調整可能なアンテナ構造のブロック図である。図３の例では、アクティブなチューニングエレメント１０６は、可変キャパシタ３０２である。アンテナ構造３００のうちの長いアーム１０２は、可変キャパシタ３０２に結合され、可変キャパシタ３０２は、電気アース１１０に結合される。アンテナ構造３００のうちの短いアーム１０４は、入力信号１１２に結合される整合回路１０８に結合される。
【００１４】
[0020]可変キャパシタ３０２は、電圧が制御された調整可能なキャパシタであり得、そこで電圧が、容量を変えるための可変キャパシタ３０２の一端に印加され、これにより、可変キャパシタ３０２を多くの周波数に合わせる。一例において、可変キャパシタ３０２は可変容量ダイオードであり、そこで可変容量ダイオードの容量値が、端子に電圧を印加することにより変えられ、それによって、可変容量ダイオードを異なる周波数帯域に合わせるか選択する。
【００１５】
[0021]アンテナ構造３００のうちの長いアーム１０２は、可変キャパシタ３０２の容量値を変えることにより、７００ＭＨｚ、７５０ＭＨｚ、８５０ＭＨｚおよび９００ＭＨｚの低周波数帯域うちの少なくとも１つに合わせられ得る。したがって、図３の例において、周波数選択あるいはチューニングが、可変キャパシタ３０２の端子に、可変の電圧値を印加することにより達成され得るため、長いアーム１０２は、多数のブランチを含み得ない。短いアーム１０４は、短いアーム１０４に適用されたＲＦ入力信号１１２に基づいた高周波数帯域に合わせられ得る。
【００１６】
[0022]図４は、一例に従った、調整可能なアンテナ構造を履行するための方法４００のフローチャートである。方法４００は、図１−３（つまり、アンテナ構造１００、２００および３００のそれぞれ)のコンポーネントに関して下記に述べられているが、方法４００の実行に関して他の適切なコンポーネントは、当業者に明らかになるであろう。さらに、方法４００を実行するためのコンポーネントは、マルチプルのデバイス中に展開され得る。方法４００は、図６の機械可読記憶媒体６０４のような、非一時的な機械可読記憶媒体中に格納された実行可能な命令の形式で、電気的な回路の形式で、またはその組み合わせで履行されうる。
【００１７】
[0023]方法４００は、ブロック４１０で開始し得、ブロック４２０に進み、そこでアンテナ構造のうちの短いアームが、整合回路に結合され、及び整合回路が、入力信号に結合される。例えば、短いアーム１０４は、整合回路１０８に結合され得、また整合回路１０８は、入力信号１１２に結合され得、そこで、入力信号１１２は、ＲＦ入力信号である。
【００１８】
[0024]方法４００は、ブロック４３０に進み得、そこでアンテナ構造のうちの長いアームが、少なくとも１つのアクティブなチューニングエレメントに結合され、および少なくとも１つのアクティブなチューニングエレメントは、電気的に接地される。例えば、長いアーム１０２は、アース１１０に結合されるアクティブなチューニングエレメント１０６に結合されうる。一例において、アクティブなチューニングエレメント１０６はスイッチ２１２を含む。別の例において、アクティブなチューニングエレメント１０６は可変キャパシタ３０２を含む。
【００１９】
[0025]方法４００は、ブロック４４０に進み得る。そこで、アンテナ構造のうちの短いアームは、高周波数帯域に合わせられる。例えば、短いアーム１０４は、３Ｇ、ＧＳＭおよびＣＤＭＡネットワークの少なくとも１つに関連された高周波帯域に合わせられ得る。交互に、例えば、短いアーム１０４は、１７００ＭＨｚから２１００ＭＨｚの範囲中の周波数帯域に合わせられ得る。短いアーム１０４は、入力信号１１２に基づいて所望の高周波数帯域に合わせられ得る。
【００２０】
[0026]方法４００は、ブロック４５０に進み得、そこでアンテナ構造のうちの長いアームが、少なくとも１つのアクティブなチューニングエレメントに基づいて低周波数帯域に合わせられ得る。例えば、長いアーム１０２は、ＬＴＥネットワークに関連された低周波数帯域に合わせられ得る。交互に、長いアーム１０２は、７００ＭＨｚ、７５０ＭＨｚ、８５０ＭＨｚおよび９００ＭＨｚのうちの１つまたは複数に合わせられ得る。一例において、アクティブなチューニングエレメント１０６がスイッチである場合、長いアーム１０２は、特定の低周波数帯域に対応するスイッチを選択することにより調整され得る。別の例において、アクティブなチューニングエレメント１０６が可変キャパシタである場合、長いアーム１０２は、可変キャパシタの容量値を変えることにより特定の低周波数帯域に調整され得る。方法４００は、次いでブロック４６０まで進み、そこで方法４００は停止する。
【００２１】
[0027]図５は、一例に従った、調整可能なアンテナ構造を履行するための方法５００のフローチャートである。方法５００は、図１−３（つまり、それぞれアンテナ構造１００−３００）のコンポーネントに関して下記に述べられるが、方法５００の実行に関して他の適切なコンポーネントは、当業者には明白であろう。加えて、方法５００を実行することに関するコンポーネントは、マルチプルのデバイス中に展開され得る。方法５００は、図６の機械可読記憶媒体６０４のような、非一時的な機械可読記憶媒体中に格納された実行可能な命令の形式で、電気的な回路の形式で、またはその組み合わせで履行されうる。図５の例は、長いアームを低周波数帯域に合わせることを説明する。
【００２２】
[0028]方法５００は、ブロック５１０で開始し、ブロック５２０に進み得、そこでアンテナ構造の長いアームが低周波数帯域に合わせられる。例えば、長いアーム１０２を合わせることは、アクティブなチューニングエレメント１０６によって遂行され得る。一例において、アクティブなチューニングエレメント１０６は、スイッチ２１２である。別の例において、アクティブなチューニングエレメント１０６は、可変キャパシタ３０２である。
【００２３】
[0029]方法５００は、ブロック５２２を含み得、そこで７００ＭＨｚ、７５０ＭＨｚ、８５０ＭＨｚおよび９００ＭＨｚの低周波数帯域のうち少なくとも１つに対応する、長いアームの少なくとも１つのブランチが選択される。例えば、長いアーム１０２は、多くのブランチ２０２を含み得、そこで各ブランチ２０２は、スイッチ２１２に結合される。特定のブランチ２０２のスイッチ２１２は、長いアームを特定の低周波数帯域に合わせるために選択（つまり、スイッチは、ブランチを接地するために閉じている)される。
【００２４】
[0030]方法５００は、ブロック５２４を含み得、そこで、可変キャパシタの容量値が、低周波数帯域中の特定の周波数に対応する特定の容量値に変えられる。容量値は、可変キャパシタに電圧を印加ことにより変化され得る。例えば、可変キャパシタ３０２の容量値は、長いアーム１０２を異なる低周波数帯域に合わせるために変えられ得る。その後、方法５００は、ブロック５３０まで進み、そこで方法５００は停止する。
【００２５】
[0031]図６は、一例に従った、調整可能なアンテナを履行することに関する命令を有するエンコードされた、機械可読記憶媒体のブロック図である。図６は例えば、調整可能なアンテナを履行するための、命令６１４、６２４および６３４を含んだプロセッサ６０２、および機械可読記憶媒体６０４を含んでいる。
【００２６】
[0032]プロセッサ６０２は、機械可読記憶媒体６０４に格納された命令の実行及び検索のための適切な処理エレメント、他のハードウェアデバイス、半導体ベースのマイクロプロセッサ、あるいはマイクロプロセッサ、あるいはそれらの任意の組み合わせであり得る。プロセッサ６０２は、下記で詳細に述べる機能を履行するために、機械可読記憶媒体に格納された命令を実行し、デコードし、またフェッチし得る。命令を実行すること及び検索することに加えてあるいは代替案として、プロセッサ６０２は、機械可読記憶媒体６０４に格納された命令６１４、６２４および６３４の機能性を実行することに関する多くの電子部品を含む、集積回路（ＩＣ）、他の制御論理、他の電子回路あるいはその任意の組み合わせを含み得る。さらに、プロセッサ６０２は、チップ中に単一あるいはマルチプルのコアを含み得、マルチプルのデバイスを横切るマルチプルのコアを含み、あるいは任意の組み合わせも含み得る。
【００２７】
[0033]機械可読記憶媒体６０４は、実行可能な命令を格納又は含む、あらゆる非一時的な電子、磁気、光学、あるいは他の物理的な記憶装置であり得る。したがって、機械可読記憶媒体６０４は、例えば、ＮＶＲＡＭ、ランダムアクセスメモリ（ＲＡＭ）、電気的消去・プログラム可能な読取専用メモリ（ＥＥＰＲＯＭ（登録商標））、記憶ドライブ、コンパクトディスクを使った読み出し専用メモリ（ＣＤ−ＲＯＭ）などであり得る。さらに機械可読記憶媒体６０４は、コンピュータ可読も非一時的にもなり得る。下記で詳細に記述されるように、機械可読記憶媒体６０４は、調整可能なアンテナを履行するための一連の実行可能な命令でエンコードされ得る。実行可能な命令の他の適切なフォーマットは、当業者には明白であろう。
【００２８】
[0034]機械可読記憶媒体６０４は、短いアームをチューニングする命令６２４及び長いアームをチューニングする命令６３４を備え得るアンテナのチューニング命令６１４を含み得る。短いアームをチューニングする命令６２４は、アンテナ構造のうちの短いアームを高周波数帯域に合わせるように構成され得る。例えば、短いアームのチューニング命令６２４は、短いアーム１０４を１７００ＭＨｚから２１００ＭＨｚまでの周波数帯域に合わせるように構成され得る。別の例として、短いアームのチューニング命令６２４は、短いアーム１０４を、ＧＳＭ、３Ｇ、及びＣＳＭＡネットワークに関連される周波数帯域に合わせるように構成され得る。
【００２９】
[0035]長いアームのチューニング命令６３４は、アンテナ構造のうちの長いアームを低周波数帯域に合わせるように構成され得る。例えば、長いアームのチューニング命令６３４は、長いアーム１０２を、７００ＭＨｚ、７５０ＭＨｚ、８５０ＭＨｚおよび９００ＭＨｚのような低周波数帯域に合わせるように構成され得る。別の例として、長いアームのチューニング命令６３４は、長いアーム１０２をＬＴＥネットワークに関連される周波数帯域に合わせるように構成され得る。
【図１】
2015533047.tif 000003
【図２】
2015533047.tif 000004
【図３】
2015533047.tif 000005
【図４】
2015533047.tif 000006
【図５】
2015533047.tif 000007
【図６】
2015533047.tif 000008
【国際調査報告】
2015533047.tif 000009
2015533047.tif 000010